(57)【要約】      （修正有）【課題】簡易な構成で的確に被水対策が可能なボタンの被水対策構造を提供する。【解決手段】電子機器の開口部から外側に露出したボタン部４ａと、ボタン部から内側に延出されたスイッチボス４ｂとを備え、ボタン部の押下操作に応じてスイッチボスが直動してスイッチをオンまたはオフするボタンの被水対策構造であって、ボタン４の外形寸法よりも小さい板状部材からなり、スイッチボス４ｂに取り付けられて、タクトスイッチ７に向かう水滴の経路を遮蔽し排水側に導く遮蔽板８を備える。【選択図】図５
2015082377.tif 000002
【特許請求の範囲】
【請求項１】
電子機器の開口部から外側に露出したボタン部と、前記ボタン部から内側に延出されたスイッチボスとを備え、前記ボタン部への押下操作に応じて前記スイッチボスが直動してスイッチをオンまたはオフするボタンの被水対策構造であって、
前記ボタンの外形寸法よりも小さい板状部材からなり、前記スイッチボスに取り付けられて、前記スイッチに向かう水滴の経路を遮蔽し排水側に導く遮蔽板を備えたことを特徴とするボタンの被水対策構造。
【請求項２】
前記遮蔽板は、前記スイッチボスと同一の樹脂材料で形成されていることを特徴とする請求項１記載のボタンの被水対策構造。
【請求項３】
前記スイッチボスは、当該スイッチボスの直動に応じて前記スイッチに当接する円柱形状の当接部と前記遮蔽板の取り付け用のピンとが先端部に形成されており、
前記遮蔽板は、前記当接部および前記ピンが貫通した状態で前記ピンを熱溶着することにより前記スイッチボスに取り付けられることを特徴とする請求項１または請求項２記載のボタンの被水対策構造。
【請求項４】
前記遮蔽板は、前記排水側を除いて側壁が立設されていることを特徴とする請求項１から請求項３のうちのいずれか１項記載のボタンの被水対策構造。
【請求項５】
前記遮蔽板は、前記排水側へ向いた溝部を有することを特徴とする請求項１から請求項３のうちのいずれか１項記載のボタンの被水対策構造。
【請求項６】
前記遮蔽板は、前記排水側の反対側へ水滴が向かう経路を遮蔽する遮蔽部と、前記水滴を前記排水側へ導く傾斜部とを備えることを特徴とする請求項１から請求項３のうちのいずれか１項記載のボタンの被水対策構造。
【請求項７】
前記遮蔽板は、前記排水側に向けて下る傾斜面を有することを特徴とする請求項１から請求項３のうちのいずれか１項記載のボタンの被水対策構造。
【発明の詳細な説明】
【技術分野】
【０００１】
この発明は、電子機器の開口部からボタン面が外側に露出したボタンの被水対策構造に関する。
【背景技術】
【０００２】
電子機器のボタンには、例えば、意匠面に形成した開口部にボタン面が外側に露出するように組み付けられるものがある。このようなボタンでは、被水対策を施していないと、意匠面が被水した場合に上記開口部の内壁とボタン外周との間から水滴が内部に浸入し、水滴がタクトスイッチおよびこれを実装する基板まで到達した場合、電気系統がショートする可能性がある。
【０００３】
例えば、特許文献１には従来のボタンの被水対策構造が開示されている。この構造は、ボタンの根元の全周にわたり一体に、かつ水平に外側に張り出したフランジが形成されており、このボタンが取り付けられてスイッチを押下する軸を摺動自在に支持する軸支持部の周囲を環状に取り囲む防水壁を備える。このように構成することで、フランジによって水滴の経路が上記軸から離れる方向に変更され、防水壁を介してスイッチを避けるように排水される。
【先行技術文献】
【特許文献】
【０００４】
【特許文献１】特開２００７−１８８７６１号公報
【発明の概要】
【発明が解決しようとする課題】
【０００５】
特許文献１に代表されるように、従来のボタンの被水対策構造は、ボタンに形成されたフランジで水滴の経路を変えて排水する構造が一般的であった。
しかしながら、機器のデザイン上の制約で隣り合ったボタン間の距離を狭くする必要がある場合、ボタンから外側に張り出すフランジを設けることが困難である。
隣り合ったボタン間の距離が狭い場合、ボタンに繋がるスイッチボスが直動してタクトスイッチを押下する、いわゆるストレート構造のボタンとなるが、被水対策を施していないと、スイッチボスを伝って水滴がタクトスイッチおよびこれを実装する基板を被水する可能性がある。
【０００６】
この発明は、上記のような課題を解決するためになされたもので、簡易な構成で的確に被水対策することができるボタンの被水対策構造を得ることを目的とする。
【課題を解決するための手段】
【０００７】
この発明に係るボタンの被水対策構造は、電子機器の開口部から外側に露出したボタン部と、ボタン部から内側に延出されたスイッチボスとを備え、ボタン部への押下操作に応じてスイッチボスが直動してスイッチをオンまたはオフするボタンの被水対策構造であって、ボタンの外形寸法よりも小さい板状部材からなり、スイッチボスに取り付けられて、スイッチに向かう水滴の経路を遮蔽し排水側に導く遮蔽板を備える。
【発明の効果】
【０００８】
この発明によれば、簡易な構成で的確に被水対策することができるという効果がある。
【図面の簡単な説明】
【０００９】
【図１】この発明の適用対象となる電子機器を示す正面図である。
【図２】図１のＢ部の裏面側を示す図である。
【図３】電子機器の側方断面図である。
【図４】この発明の実施の形態１に係るボタンを示す斜視図である。
【図５】実施の形態１に係るボタンの被水対策構造の概要を示す図である。
【図６】実施の形態１における遮蔽板の構成例（その１）を示す図である。
【図７】実施の形態１における遮蔽板の構成例（その２）を示す図である。
【図８】実施の形態１における遮蔽板の構成例（その３）を示す図である。
【図９】実施の形態１における遮蔽板の構成例（その４）を示す図である。
【発明を実施するための形態】
【００１０】
実施の形態１．
図１は、この発明の適用対象となる電子機器を示す正面図である。図２は、図１のＢ部の裏面側を示す図である。図１において、電子機器１は、例えばナビゲーション装置などの車載情報処理装置またはディスプレイ付きのオーディオ装置である。また、電子機器１のモニタパネル２の前面には、表示面３およびボタン４が配置されている。
なお、電子機器１は、モニタパネル２の隣り合うボタン４間の距離ａがデザイン上の制約から狭く設定されており、各ボタン４は、図２に示すように、動作時に占有する空間が少ないストレート構造である。すなわち、ボタン部４ａに繋がるスイッチボス４ｂが直動してタクトスイッチをオンまたはオフする。
【００１１】
図３は、電子機器の側方断面図であり、この発明に係る被水対策構造を設けていない場合を示している。また、図３の左図は、図１のＡ−Ａ線の側方断面図であり、図３の右図は、ボタン要部の拡大図である。左図に示すように、カバーケース５が、モニタパネル２の背面側に組み付けられて内部構成を被覆している。なお、電子機器１は、所定の傾斜角度θ（例えば、３０°）だけ傾けて取り付け箇所に取り付けられているものとする。
【００１２】
ボタン４は、図３の右図に示すように、ボタン部４ａへの押下操作に応じてスイッチボス４ｂが直動する。このとき、スイッチボス４ｂの先端に形成された当接部４ｃが、機器内部の基板６に実装されているタクトスイッチ７に当接してオンまたはオフする。
被水対策構造が採用されていない場合、モニタパネル２が被水すると、モニタパネル２の開口内壁とボタン部４ａの外周との隙間から内部に水滴が浸入する。この水滴は、図３の右図に示すような経路ｂ１，ｂ２を伝って基板６およびタクトスイッチ７側へ流れる。
【００１３】
そこで、この発明は、タクトスイッチ７に向かう水滴の経路ｂ１，ｂ２を遮蔽して排水側に導く被水対策構造を採用する。
図４は、この発明の実施の形態１に係るボタンを示す斜視図である。また、図５は、実施の形態１に係るボタンの被水対策構造の概要を示す図である。スイッチボス４ｂの先端部には、図４に示すように、上述の当接部４ｃと遮蔽板８の取り付け用のピン４ｄが形成されている。遮蔽板８は、ボタン４の外形寸法よりも小さい板状部材であり、当接部４ｃおよびピン４ｄを貫通した状態でピン４ｄを熱溶着することにより、スイッチボス４ｂに取り付けられる。
【００１４】
図５に示すように、遮蔽板８は、タクトスイッチ７側へ向かう水滴の経路ｂ１，ｂ２を遮蔽して排水側に導く。なお、電子機器１は、所定の傾斜角度θ（例えば、３０°）だけ傾けて取り付け箇所に取り付けられており、図５に矢印で示す経路で電子機器１の底面側から機器外部へ排水される。このようにボタン４の外形寸法よりも小さい板状部材を遮蔽板８とすることで、隣り合うボタン４間の距離ａが狭い場合であっても適用可能である。
また、遮蔽板８をスイッチボス４ｂに取り付けただけの簡易な構成で、的確に被水対策することができる。
【００１５】
また、遮蔽板８は、スイッチボス４ｂと同一の樹脂材料で形成する。これは、両者を異なる材質で形成した場合は、各材質の熱収縮の違いによってスイッチボス４ｂと遮蔽板８の取り付け部分にガタが生じる可能性があり、ガタによる異音の発生が懸念されるからである。例えば、ボタン部４ａおよびスイッチボス４ｂを含むボタン４の樹脂材料であるＰＥＴシートやＰＣシートで遮蔽板８を形成する。
【００１６】
また、遮蔽板８は、円柱形状の当接部４ｃおよびピン４ｄを貫通した状態でピン４ｄを熱溶着することによりスイッチボス４ｂに取り付けられる。このとき、熱溶着されたピン４ｄは遮蔽板８に密着しているが、当接部４ｃは遮蔽板８に貫通させただけの状態である。このため、貫通孔と当接部４ｃとの隙間から水滴が浸入することが懸念される。
そこで、この発明では、当接部４ｃを円柱形状としている。これにより、水滴は、円柱形状の当接部ｃ上を滑るように流れ、貫通孔と当接部４ｃとの隙間を濡らす前に排水側に流れていく。
【００１７】
遮蔽板は下記のような構造であってもよい。
図６は、実施の形態１における遮蔽板の構成例を示す図である。図６に示す遮蔽板８Ａは、排水側を除いて側壁８ａが立設されている。側壁８ａは、遮蔽板８Ａに到達した水滴が排水方向以外に向かう経路を遮蔽する。これにより、より的確に水滴を排水側へ導くことができる。
【００１８】
図７は、実施の形態１における遮蔽板の別の構成を示す図である。図７に示すように、遮蔽板８Ｂには排水側へ向いた溝部８ｂが形成されている。遮蔽板８Ｂに到達した水滴は溝部８ｂに沿って排水方向に流れる。このように構成することでも、より的確に水滴を排水側へ導くことができる。
【００１９】
図８は、実施の形態１における遮蔽板のさらに別の構成を示す図である。図８に示す遮蔽板８Ｃは、排水側の反対側へ水滴が向かう経路を遮蔽する遮蔽部８ｃ−１と、水滴を排水側へ導く傾斜部８ｃ−２とが形成されている。
遮蔽部８ｃ−１は、図８に示すように、排水方向の上流側を遮蔽する立ち壁であり、遮蔽板８Ｃに到達した水滴が排水方向の反対側に向かう経路を遮蔽する。
また、傾斜部８ｃ−２は、排水側に向かって下る傾斜しており、遮蔽板８Ｃに到達した水滴が排水方向へ流れることを助長する。このように構成することでも、より的確に水滴を排水側へ導くことができる。
【００２０】
図９は、実施の形態１における遮蔽板のさらに別の構成を示す図である。図９に示す遮蔽板８Ｄは、排水側に向けて下る傾斜面８ｄを有する。遮蔽板８Ｄに到達した水滴は、傾斜面８ｄに沿って排水方向に流れる。このように構成することでも、より的確に水滴を排水側へ導くことができる。
【００２１】
以上のように、この実施の形態１によれば、ボタン４の外形寸法よりも小さい板状部材からなり、スイッチボス４ｂに取り付けられて、タクトスイッチ７に向かう水滴の経路を遮蔽し排水側に導く遮蔽板８を備える。このようにボタン４の外形寸法よりも小さい板状部材を遮蔽板８としてスイッチボス４ｂに取り付けただけの簡易な構成で的確に被水対策することができる。
【００２２】
また、この実施の形態１によれば、遮蔽板８が、スイッチボス４ｂと同一の樹脂材料で形成されているので、熱収縮の影響を抑制することができる。
【００２３】
さらに、この実施の形態１によれば、スイッチボス４ｂが、スイッチボス４ｂの直動に応じてタクトスイッチ７に当接する当接部４ｃと遮蔽板８の取り付け用のピン４ｄが先端部に形成されており、遮蔽板８が、円柱形状の当接部４ｃおよびピン４ｄが貫通した状態でピン４ｄを熱溶着することによりスイッチボス４ｂに取り付けられる。
このように構成することで、水滴は、円柱形状の当接部ｃ上を滑るように流れ、貫通孔と当接部４ｃの隙間を濡らす前に排水側に流れていく。これにより、貫通孔と当接部４ｃとの隙間からの水滴の浸入を抑制することができる。
【００２４】
さらに、この実施の形態１によれば、遮蔽板８Ａが排水側を除いて側壁８ａが立設されているので、より的確に水滴を排水側へ導くことができる。
【００２５】
さらに、この実施の形態１によれば、遮蔽板８Ｂが排水側へ向いた溝部８ｂを有するので、より的確に水滴を排水側へ導くことができる。
【００２６】
さらに、この実施の形態１によれば、遮蔽板８Ｃが排水側の反対側へ水滴が向かう経路を遮蔽する遮蔽部８ｃ−１と、水滴を排水側へ導く傾斜部８ｃ−２とを備えるので、より的確に水滴を排水側へ導くことができる。
【００２７】
さらに、この実施の形態１によれば、遮蔽板８Ｄが排水側に向けて下る傾斜面８ｄを有するので、より的確に水滴を排水側へ導くことができる。
【００２８】
なお、本発明はその発明の範囲内において、実施の形態の任意の構成要素の変形、もしくは実施の形態の任意の構成要素の省略が可能である。
【符号の説明】
【００２９】
１  電子機器、２  モニタパネル、３  表示面、４  ボタン、４ａ  ボタン部、４ｂ  スイッチボス、４ｃ  当接部、４ｄ  ピン、５  カバーケース、６  基板、７  タクトスイッチ、８，８Ａ〜８Ｄ  遮蔽板、８ａ  側壁、８ｂ  溝部、８ｃ−１  遮蔽部、８ｃ−２  傾斜部、８ｄ  傾斜面。
【図１】
2015082377.tif 000003
【図２】
2015082377.tif 000004
【図３】
2015082377.tif 000005
【図４】
2015082377.tif 000006
【図５】
2015082377.tif 000007
【図６】
2015082377.tif 000008
【図７】
2015082377.tif 000009
【図８】
2015082377.tif 000010
【図９】
2015082377.tif 000011